【手続補正書】
【提出日】平成15年9月18日(2003.9.18)
【手続補正１】
【補正対象書類名】明細書
【補正対象項目名】特許請求の範囲
【補正方法】変更
【補正の内容】
【特許請求の範囲】
【請求項１】
ユーザにより設定された宛先情報及び時間情報を保持するユーザ設定保持手段と、
受信した電子メールを保持するメール保持手段と、
前記ユーザ設定保持手段に保持されている時間情報により定まる時間に、前記メール保持手段に保持されている電子メールを、前記ユーザ設定保持手段に保持されている宛先情報により定まる宛先に送信するよう制御する送信制御手段とを有することを特徴とする情報処理装置。
【請求項２】
前記ユーザ設定保持手段に保持する宛先情報は、電話番号とすることを特徴とする請求項１に記載の情報処理方法。
【請求項３】
前記ユーザ設定保持手段に保持する宛先情報は、メールアドレスとすることを特徴とする請求項１に記載の情報処理方法。
【請求項４】
宛先情報或は時間情報を、通信回線を介して入力する入力手段と、前記入力手段により入力された宛先情報或は時間情報を、前記ユーザ設定保持手段に更新保持することを特徴とする請求項１に記載の情報処理装置。
【請求項５】
前記メール保持手段により保持されているメールのテキストを音声合成する音声合成手段を有し、
前記音声合成手段により合成された音声を、前記送信制御手段により送信することを特徴とする請求項１に記載の情報処理装置。
【請求項６】
前記メール保持手段により保持されているメールから宛先情報及び時間情報を抽出する情報抽出手段と、
前記情報抽出手段により抽出した情報と、ユーザにより設定された情報との優先度を判定する判定手段を有し、
前記判定手段により優先度が高いと判定された情報に従って、メールを出力する宛先及び時間を決定することを特徴とする請求項１に記載の情報処理装置。
【請求項７】
新着メールの有無を判断する新着メール判断手段を有し、
前記新着メール判断手段により判断された新着メールを前記メール保持手段に保持することを特徴とする請求項１に記載の情報処理装置。
【請求項８】
前記送信制御手段は、前記メールの宛先が同じであるメールをまとめて送信することを特徴とする請求項１に記載の情報処理装置。
【請求項９】
前記送信制御手段は、前記宛先情報にしたがって公衆回線を介して接続された端末に前記メールを出力することを特徴とする請求項１に記載の情報処理装置。
【請求項１０】
前記宛先情報に従って公衆回線を介して接続される端末は、電話とすることを特徴とする請求項９に記載の情報処理装置。
【請求項１１】
前記宛先情報に従って公衆回線を介して接続される端末は、コンピュータとすることを特徴とする請求項９に記載の情報処理装置。
【請求項１２】
受信した電子メールを保持するメール保持手段と、
前記メール保持手段に保持されているメールから、時間情報と宛先情報を抽出する情報抽出手段と、
前記情報抽出手段により抽出された時間情報により定まる時間に、前記メール保持手段に保持されている電子メールを、前記情報抽出手段により抽出された宛先情報により定まる宛先に送信するよう制御する送信制御手段とを有することを特徴とする情報処理装置。
【請求項１３】
ユーザにより設定された宛先情報及び時間情報を保持し、
受信した電子メールを保持し、
前記保持されている時間情報により定まる時間に、前記保持されている電子メールを、前記保持されている宛先情報により定まる宛先に送信するよう制御することを特徴とする情報処理方法。
【請求項１４】
受信した電子メールを保持し、
前記保持されているメールから、時間情報と宛先情報を抽出し、
前記抽出された時間情報により定まる時間に、前記保持されている電子メールを、前記抽出された宛先情報により定まる宛先に送信するよう制御することを特徴とする情報処理方法。
【手続補正２】
【補正対象書類名】明細書
【補正対象項目名】０１６３
【補正方法】変更
【補正の内容】
【０１６３】
以上説明したように、本実施形態によれば、ユーザ宛てに新着メールがとどくと、ユーザの設定情報にもとづいてメールの受け手であるユーザの都合のよい時間に都合の良い電話にシステムがユーザに電話をかけるようにしたので、ユーザが定期的にシステムに電話をかける必要がなくなるという効果がある。


【手続補正３】
【補正対象書類名】明細書
【補正対象項目名】０１６５
【補正方法】変更
【補正の内容】
【０１６５】
以上説明したように、本実施形態によれば、ユーザにより設定された宛先情報及び時間情報を保持するユーザ設定保持手段と、受信した電子メールを保持するメール保持手段と、前記ユーザ設定保持手段に保持されている時間情報により定まる時間に、前記メール保持手段に保持されている電子メールを、前記ユーザ設定保持手段に保持されている宛先情報により定まる宛先に送信するよう制御する送信制御手段とを有することにより、外出等でコンピュータから離れている時にも、メールの受け手であるユーザの所望の時間に、所望の所でメールを確認できるようになる。


【手続補正４】
【補正対象書類名】明細書
【補正対象項目名】０１６６
【補正方法】変更
【補正の内容】
【０１６６】
以上説明したように、本実施形態によれば、前記ユーザ設定保持手段に保持する宛先情報は、電話番号とすることにより、ユーザが外出先の電話で所望の時間にメールを確認することができる。


【手続補正５】
【補正対象書類名】明細書
【補正対象項目名】０１６７
【補正方法】変更
【補正の内容】
【０１６７】
以上説明したように、本実施形態によれば、前記ユーザ設定保持手段に保持する宛先情報は、メールアドレスとする事により、ユーザが外出先のコンピュータで所望の時間にメールを確認することができる。


【手続補正６】
【補正対象書類名】明細書
【補正対象項目名】０１６８
【補正方法】変更
【補正の内容】
【０１６８】
以上説明したように、本実施形態によれば、宛先情報或は時間情報を、通信回線を介して入力する入力手段と、前記入力手段により入力された宛先情報或は時間情報を、前記ユーザ設定保持手段に更新保持することにより、外出先からも送信先を設定できる。


【手続補正７】
【補正対象書類名】明細書
【補正対象項目名】０１６９
【補正方法】変更
【補正の内容】
【０１６９】
以上説明したように、本実施形態によれば、前記メール保持手段により保持されているメールのテキストを音声合成する音声合成手段を有し、前記音声合成手段により合成された音声を、前記送信制御手段により送信することにより、メールの表示手段がない場合においてもメールの内容を確認できる。


【手続補正８】
【補正対象書類名】明細書
【補正対象項目名】０１７０
【補正方法】変更
【補正の内容】
【０１７０】
以上説明したように、本実施形態によれば、前記メール保持手段により保持されているメールから宛先情報及び時間情報を抽出する情報抽出手段と、前記情報抽出手段により抽出した情報と、ユーザにより設定された情報との優先度を判定する判定手段を有し、前記判定手段により優先度が高いと判定された情報に従って、メールを出力する宛先及び時間を決定することにより、優先度の高い条件にしたがって、メールを出力することができる。


【手続補正９】
【補正対象書類名】明細書
【補正対象項目名】０１７１
【補正方法】変更
【補正の内容】
【０１７１】
以上説明したように、本実施形態によれば、新着メールの有無を判断する新着メール判断手段を有し、前記新着メール判断手段により判断された新着メールを前記メール保持手段に保持することにより、新着メールについて随時適切な条件で出力することができる。


【手続補正１０】
【補正対象書類名】明細書
【補正対象項目名】０１７２
【補正方法】変更
【補正の内容】
【０１７２】
以上説明したように、本実施形態によれば、前記送信制御手段は、前記メールの宛先が同じであるメールをまとめて送信することにより、メール一通ごとに回線の接続と遮断を繰り返す必要がなくなり、処理の能率が向上する。


【手続補正１１】
【補正対象書類名】明細書
【補正対象項目名】０１７３
【補正方法】変更
【補正の内容】
【０１７３】
以上説明したように、本実施形態によれば、前記送信制御手段は、前記宛先情報にしたがって公衆回線を介して接続された端末に前記メールを出力することにより、ユーザは公衆回線でつながっているところならどこにいてもメールを確認することができる。


【手続補正１２】
【補正対象書類名】明細書
【補正対象項目名】０１７４
【補正方法】変更
【補正の内容】
【０１７４】
以上説明したように、本実施形態によれば、前記宛先情報に従って公衆回線を介して接続される端末は、電話とすることにより、ユーザは、電話のある所ならどこにいてもメールを確認することができる。


【手続補正１３】
【補正対象書類名】明細書
【補正対象項目名】０１７５
【補正方法】変更
【補正の内容】
【０１７５】
以上説明したように、本実施形態によれば、前記宛先情報に従って公衆回線を介して接続される端末は、コンピュータとすることにより、ユーザはコンピュータのある所ならどこにいてもメールを確認することができる。
【発明の効果】
以上説明したように、本発明によれば、ユーザの設定情報にもとづいて電子メールを送信するので、ユーザは、所望の時間に所望の場所で電子メールを受けることが可能になった。